【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
支持体、該支持体上に形成されている下引き層、及び該下引き層上に形成されている感光層を有する電子写真感光体であって、
該下引き層が下記式（１）
【化１】
2015206991.tif 000001
（式（１）中、
Ｒ１は、２つ以上の重合性官能基を有する主鎖の炭素数が１〜６のアルキル基、２つ以上の重合性官能基を有する主鎖の炭素数が１〜６のアルキル基の主鎖中のＣＨ２の１つを酸素原子に置き換えて導かれる基、または、２つ以上の重合性官能基を有する主鎖の炭素数が１〜６のアルキル基の主鎖中のＣＨ２の１つをＮＲ７に置き換えて導かれる基を示し、該重合性官能基は、ヒドロキシ基、チオール基、アミノ基、またはカルボキシル基である。Ｒ７は、水素原子またはアルキル基を示す。
Ｒ２は、主鎖の炭素数が１〜６の置換若しくは無置換のアルキル基、主鎖の炭素数が１〜６の置換若しくは無置換のアルキル基の主鎖中のＣＨ２の１つを酸素原子に置き換えて導かれる基、主鎖の炭素数が１〜６の置換若しくは無置換のアルキル基の主鎖中のＣＨ２の１つをＮＲ８に置き換えて導かれる基、または置換のアリール基である。Ｒ８は、水素原子またはアルキル基を示す。
該置換のアルキル基の置換基は、炭素数１〜６のアルキル基、ベンジル基、アルコキシカルボニル基、フェニル基を示す。
該置換のアリール基の置換基は、ハロゲン原子、シアノ基、ニトロ基、メチル基、エチル基、イソプロピル基、ｎ−プロピル基、ｎ−ブチル基、アシル基、アルコキシカルボニル基、アルコキシ基、チオアルコキシ基、またはアミノアルコキシ基であり、該アリール基が有するすべての置換基を併せた水素原子以外の原子の原子数が４以上である。
Ｒ３〜Ｒ６は、それぞれ独立に、水素原子、ハロゲン原子、シアノ基、ニトロ基、置換もしくは無置換のアルキル基、または置換もしくは無置換のアリール基示す。）
で示される化合物を含む組成物の重合物を含有することを特徴とする電子写真感光体。
【請求項２】
Ｒ１は、２つ以上の重合性官能基を有する主鎖の炭素数が１〜３のアルキル基、２つ以上の重合性官能基を有する主鎖の炭素数が１〜３のアルキル基の主鎖中のＣＨ２の１つを酸素原子に置き換えて導かれる基、または、２つ以上の重合性官能基を有する主鎖の炭素数が１〜３のアルキル基の主鎖中の１つをＮＲ７に置き換えて導かれる基である請求項１に記載の電子写真感光体。
【請求項３】
Ｒ２は、下記式（２）
【化２】
2015206991.tif 000002
（式（２）中、Ｌ１は、水素原子を示し、
Ｌ２およびＬ３は、それぞれ独立に、主鎖の炭素数が１〜６の置換若しくは無置換のアルキル基、主鎖の炭素数が１〜６の置換若しくは無置換のアルキル基の主鎖中のＣＨ２の１つを酸素原子に置き換えて導かれる基、主鎖の炭素数が１〜６の置換若しくは無置換のアルキル基の主鎖中のＣＨ２の１つをＮＲ８に置き換えて導かれる基、または置換若しくは無置換のアリール基を示し、
該置換のアルキル基の置換基は、
炭素数１〜６のアルキル基、ベンジル基、アルコキシカルボニル基、またはフェニル基である。）
で示される１価の基である請求項１または２に記載の電子写真感光体。
【請求項４】
支持体、該支持体上に形成されている下引き層、及び該下引き層上に形成されている感光層を有する電子写真感光体であって、
該下引き層が下記式（１）
【化３】
2015206991.tif 000003
（式（１）中、
Ｒ１は、２つ以上の重合性官能基を有する主鎖の炭素数が１〜６のアルキル基、２つ以上の重合性官能基を有する主鎖の炭素数が１〜６のアルキル基の主鎖中のＣＨ２の１つを酸素原子に置き換えて導かれる基、２つ以上の重合性官能基を有する主鎖の炭素数が１〜６のアルキル基の主鎖中のＣＨ２の１つを硫黄原子に置き換えて導かれる基、または、２つ以上の重合性官能基を有する主鎖の炭素数が１〜６のアルキル基の主鎖中のＣＨ２の１つをＮＲ７に置き換えて導かれる基を示し、該重合性官能基は、ヒドロキシ基、チオール基、アミノ基、またはカルボキシル基である。Ｒ７は、水素原子またはアルキル基を示す。
Ｒ３〜Ｒ６は、それぞれ独立に、水素原子、ハロゲン原子、シアノ基、ニトロ基、置換もしくは無置換のアルキル基、または置換もしくは無置換のアリール基示す。
Ｒ２は、下記式（３）で示される１価の基であり、
【化４】
2015206991.tif 000004
式（３）中、
Ｓ１は、メチル基、エチル基、イソプロピル基、ｎ−プロピル基、ｎ−ブチル基、アシル基、アルコキシカルボニル基、メトキシ基、エトキシ基、チオメトキシ基、チオエトキシ基、アミノメトキシ基、またはアミノエトキシ基を示し、
Ｓ２〜Ｓ５は、それぞれ独立に、水素原子、ハロゲン原子、シアノ基、ニトロ基、メチル基、エチル基、イソプロピル基、ｎ−プロピル基、ｎ−ブチル基、アシル基、アルコキシカルボニル基、アルコキシ基、チオアルコキシ基、またはアミノアルコキシ基を示す。）
で示される化合物を含む組成物の重合物を含有することを特徴とする電子写真感光体。
【請求項５】
前記組成物は、さらに架橋剤を含有する請求項１〜４のいずれか１項に記載の電子写真感光体。
【請求項６】
前記架橋剤は、
イソシアネート基もしくはブロックイソシアネート基を有するイソシアネート化合物、または、
Ｎ−メチロール基もしくはアルキルエーテル化されたＮ−メチロール基を有するアミン化合物
である請求項５に記載の電子写真感光体。
【請求項７】
前記組成物は、さらに重合性官能基を有する樹脂を含有する請求項５または６に記載の電子写真感光体。
【請求項８】
前記重合性官能基を有する樹脂の重合性官能基は、ヒドロキシ基、チオール基、アミノ基、カルボキシル基またはメトキシ基である請求項７に記載の電子写真感光体。
【請求項９】
前記組成物中における式（１）で示される化合物と前記架橋剤および／または前記重合性官能基を有する樹脂との質量比率が１００：５０〜１００：２５０である請求項７または８に記載の電子写真感光体。
【請求項１０】
請求項１〜９のいずれか１項に記載の電子写真感光体と、帯電手段、現像手段、およびクリーニング手段からなる群より選択される少なくとも１つの手段とを一体に支持し、電子写真装置本体に着脱自在であることを特徴とするプロセスカートリッジ。
【請求項１１】
請求項１〜９のいずれか１項に記載の電子写真感光体、帯電手段、露光手段、現像手段および転写手段を有する電子写真装置。
【請求項１２】
下記式（１）
【化５】
2015206991.tif 000005
（式（１）中、
Ｒ１は、２つ以上の重合性官能基を有する主鎖の炭素数が１〜６のアルキル基、２つ以上の重合性官能基を有する主鎖の炭素数が１〜６のアルキル基の主鎖中のＣＨ２の１つを酸素原子に置き換えて導かれる基、または、２つ以上の重合性官能基を有する主鎖の炭素数が１〜６のアルキル基の主鎖中のＣＨ２の１つをＮＲ７に置き換えて導かれる基を示し、該重合性官能基は、ヒドロキシ基、チオール基、アミノ基、またはカルボキシル基である。Ｒ７は、水素原子またはアルキル基を示す。
Ｒ３〜Ｒ６は、それぞれ独立に、水素原子、ハロゲン原子、シアノ基、ニトロ基、置換もしくは無置換のアルキル基、または置換もしくは無置換のアリール基示す。
Ｒ２は、下記式（２）で示される１価の基であり、
【化６】
2015206991.tif 000006
式（２）中、Ｌ１は、水素原子を示し、
Ｌ２およびＬ３は、それぞれ独立に、主鎖の炭素数が１〜６の置換若しくは無置換のアルキル基、主鎖の炭素数が１〜６の置換若しくは無置換のアルキル基の主鎖中のＣＨ２の１つを酸素原子に置き換えて導かれる基、主鎖の炭素数が１〜６の置換若しくは無置換のアルキル基の主鎖中のＣＨ２の１つをＮＲ８に置き換えて導かれる基、または置換若しくは無置換のアリール基を示し、Ｒ８は、水素原子またはアルキル基を示す。
該置換のアルキル基の置換基は、
炭素数１〜６のアルキル基、ベンジル基、アルコキシカルボニル基、またはフェニル基である。）
で示されるイミド化合物。
【請求項１３】
下記式（１）
【化７】
2015206991.tif 000007
（式（１）中、
Ｒ１は、２つ以上の重合性官能基を有する主鎖の炭素数が１〜６のアルキル基、２つ以上の重合性官能基を有する主鎖の炭素数が１〜６のアルキル基の主鎖中のＣＨ２の１つを酸素原子に置き換えて導かれる基、２つ以上の重合性官能基を有する主鎖の炭素数が１〜６のアルキル基の主鎖中のＣＨ２の１つを硫黄原子に置き換えて導かれる基、または、２つ以上の重合性官能基を有する主鎖の炭素数が１〜６のアルキル基の主鎖中のＣＨ２の１つをＮＲ７に置き換えて導かれる基を示し、該重合性官能基は、ヒドロキシ基、チオール基、アミノ基、またはカルボキシル基である。Ｒ７は、水素原子またはアルキル基を示す。
Ｒ３〜Ｒ６は、それぞれ独立に、水素原子、ハロゲン原子、シアノ基、ニトロ基、置換もしくは無置換のアルキル基、または置換もしくは無置換のアリール基示す。
Ｒ２は、下記式（３）で示される１価の基であり、
【化８】
2015206991.tif 000008
式（３）中、
Ｓ１は、メチル基、エチル基、イソプロピル基、ｎ−プロピル基、ｎ−ブチル基、アシル基、アルコキシカルボニル基、メトキシ基、エトキシ基、チオメトキシ基、チオエトキシ基、アミノメトキシ基、またはアミノエトキシ基を示し、
Ｓ２〜Ｓ５は、それぞれ独立に、水素原子、ハロゲン原子、シアノ基、ニトロ基、メチル基、エチル基、イソプロピル基、ｎ−プロピル基、ｎ−ブチル基、アシル基、アルコキシカルボニル基、アルコキシ基、チオアルコキシ基、またはアミノアルコキシ基を示す。）
で示されるイミド化合物。